(57)【要約】【課題】ユーザが意識することなく簡易に滅菌する、ことを目的とする。【解決手段】ノートＰＣ１は、キーボード４Ａが設けられた本体側筐体２とタッチパネルディスプレイ６が設けられたディスプレイ側筐体３とが開閉自在に連結される。そして、本体側筐体２はディスプレイ側筐体３に対向する面に光触媒層７が設けられ、本体側筐体２とディスプレイ側筐体３とが閉じられた後、発光を所定時間継続するようにタッチパネルディスプレイ６が制御される。【選択図】図１
2017211745.tif 000002
【特許請求の範囲】
【請求項１】
キーボードが設けられた第１筐体とディスプレイが設けられた第２筐体とが開閉自在に連結された情報処理装置であって、
前記第１筐体は、前記第２筐体に対向する面に光触媒層が設けられる情報処理装置。
【請求項２】
前記光触媒層は、可視光に応答性を有する光触媒で形成される請求項１記載の情報処理装置。
【請求項３】
前記第１筐体と前記第２筐体とが閉じられた後、発光を所定時間継続するように前記ディスプレイを制御する発光制御手段を備える請求項１又は請求項２に記載の情報処理装置。
【請求項４】
前記発光制御手段は、前記ディスプレイを最大照度で発光させる請求項３に記載の情報処理装置。
【請求項５】
前記発光制御手段は、前記所定時間の間における前記ディスプレイの照度を、前記情報処理装置の状態に基づいて決定する請求項３に記載の情報処理装置。
【請求項６】
前記発光制御手段は、前記所定時間を、前記情報処理装置の状態に基づいて決定する請求項３から請求項５の何れか１項に記載の情報処理装置。
【請求項７】
キーボードが設けられた第１筐体とディスプレイが設けられた第２筐体とが開閉自在に連結された情報処理装置の滅菌方法であって、
前記第１筐体と前記第２筐体とが閉じられた後、発光を所定時間継続するように前記ディスプレイを制御する情報処理装置の滅菌方法。
【請求項８】
キーボードが設けられた第１筐体とディスプレイが設けられた第２筐体とが開閉自在に連結された情報処理装置が備えるコンピュータを、
前記第１筐体と前記第２筐体とが閉じられた後、発光を所定時間継続するように前記ディスプレイを制御する発光制御手段として機能させるプログラム。
【発明の詳細な説明】
【技術分野】
【０００１】
本発明は、情報処理装置、情報処理装置の滅菌方法、及びプログラムに関するものである。
【背景技術】
【０００２】
近年、ノートブック型パーソナルコンピュータ（以下「ノートＰＣ」という。）等の情報処理装置が広く普及しており、医療現場等を含めて、様々な環境で使用されている。
【０００３】
ここで、特許文献１には、ノートＰＣを使用している室内の空気清浄を行うことを目的として、放熱フィンの表面に光触媒層を被覆して、放熱フィンに隣接して配置され導光体によって紫外線領域の光を光触媒層に導くノートＰＣが開示されている。
【先行技術文献】
【特許文献】
【０００４】
【特許文献１】特開２０１０−１１７９３６号公報
【発明の概要】
【発明が解決しようとする課題】
【０００５】
ノートＰＣのキーボードやパームレストは、ユーザの指や手の平が頻繁に接触する箇所であり、ウィルス（細菌）も付着しやすい。このため、例えば医療従事者は、キーボードやパームレストをアルコール等で頻繁に滅菌する場合もあり、その作業が煩雑であった。
【０００６】
本発明は、このような事情に鑑みてなされたものであって、ユーザが意識することなく簡易に滅菌できる、情報処理装置、情報処理装置の滅菌方法、及びプログラムを提供することを目的とする。
【課題を解決するための手段】
【０００７】
上記課題を解決するために、本発明の情報処理装置、情報処理装置の滅菌方法、及びプログラムは以下の手段を採用する。
【０００８】
本発明の第一態様に係る情報処理装置は、キーボードが設けられた第１筐体とディスプレイが設けられた第２筐体とが開閉自在に連結された情報処理装置であって、前記第１筐体は、前記第２筐体に対向する面に光触媒層が設けられる。
【０００９】
本発明の第二態様に係る情報処理装置の滅菌方法は、キーボードが設けられた第１筐体とディスプレイが設けられた第２筐体とが開閉自在に連結された情報処理装置の滅菌方法であって、前記第１筐体と前記第２筐体とが閉じられた後、発光を所定時間継続するように前記ディスプレイを制御する。
【００１０】
本発明の第三態様に係るプログラムは、キーボードが設けられた第１筐体とディスプレイが設けられた第２筐体とが開閉自在に連結された情報処理装置が備えるコンピュータを、前記第１筐体と前記第２筐体とが閉じられた後、発光を所定時間継続するように前記ディスプレイを制御する発光制御手段として機能させる。
【発明の効果】
【００１１】
本発明によれば、ユーザが意識することなく簡易に滅菌できる、という効果を有する。
【図面の簡単な説明】
【００１２】
【図１】本発明の実施形態に係るノートＰＣの概略外観図である。
【図２】本発明の実施形態に係るノートＰＣの電気的構成を示すブロック図である。
【図３】可視光に応答性を有するＣｕ／ＴｉＯ２と紫外線に応答性を有するＦｅ／ＴｉＯ２との滅菌効果の比較例を示すグラフである。
【図４】本発明の実施形態に係る滅菌処理に関する機能ブロック図である。
【図５】本発明の実施形態に係る滅菌照射設定に係る設定画像である。
【図６】本発明の実施形態に係る滅菌処理の流れを示すフローチャートである。
【発明を実施するための形態】
【００１３】
以下に、本発明に係る情報処理装置、情報処理装置、情報処理装置の滅菌方法、及びプログラムの一実施形態について、図面を参照して説明する。
【００１４】
図１は、本実施形態に係るノートＰＣ１の概略外観図である。
【００１５】
ノートＰＣ１は、図１に示すように一例として、いずれも略直方体である本体側筐体２及びディスプレイ側筐体３を備える。
【００１６】
本体側筐体２は、入力部４が設けられている。入力部４は、ユーザによる入力操作を行うためのユーザインターフェースであり、文字、コマンド等の入力を受け付ける各種キーやボタン等で構成され、キーボード４Ａやタッチパッド４Ｂ等である。また、本体側筐体２におけるキーボード４Ａよりもユーザ側にはパームレスト５が設けられている。
【００１７】
ディスプレイ側筐体３は、画像を表示するタッチパネルディスプレイ６が設けられている。
【００１８】
タッチパネルディスプレイ６は、入力される表示データをビデオ信号に変換し、変換したビデオ信号に応じた各種情報を表示画面に表示すると共に、ユーザの指及びタッチペン等の指示体を用いて行われる各種操作を検出する。
【００１９】
本体側筐体２及びディスプレイ側筐体３は、それぞれの端部で左右一対の連結部８ａ，８ｂによって連結されている。連結部８ａ，８ｂは、ヒンジであり、本体側筐体２及びディスプレイ側筐体３を開閉自在に支持している。従って、ノートＰＣ１は、本体側筐体２側にディスプレイ側筐体３を倒すことで閉じた状態とされる。
【００２０】
図２は、ノートＰＣ１のハードウェアの構成を示す概略図である。
【００２１】
ノートＰＣ１は、ＣＰＵ（Central  Processing  Unit）２０、ＲＯＭ（Read  Only  Memory）２１、メモリ２２、グラフィクスアダプタ２４、入力コントローラ２６、フラッシュメモリ２７、通信デバイス２８、及び電源回路２９を備えており、入力部４を含む各部は、バス３０を介して直接または間接的に接続されている。なお、タッチパネルディスプレイ６は、ＬＣＤ（Liquid  Crystal  Display）６Ａ、タッチセンサ６Ｂ、及びバックライト６Ｃを含んで構成される。
【００２２】
ＣＰＵ２０は、フラッシュメモリ２７に格納されたＯＳによりノートＰＣ１全体の制御を行うと共に、フラッシュメモリ２７に格納された各種のプログラムに基づいて、入力部４やタッチパネルディスプレイ６等を介したユーザの操作に応じた処理を実行する機能を有する。
【００２３】
ＲＯＭ２１は、ＢＩＯＳ（Basic  Input/Output  System）や各種データ等を格納している。
【００２４】
メモリ２２は、キャッシュメモリやＲＡＭ（Random  Access  Memory）で構成されており、ＣＰＵ２０の実行プログラムの読み込み、及び実行プログラムによる処理データの書き込みを行う作業領域として利用される書き込み可能なメモリである。
【００２５】
ＬＣＤ６Ａは、ＣＰＵ２０の制御に従って、グラフィクスアダプタ２４からのビデオ信号を画像として表示する。
【００２６】
グラフィクスアダプタ２４は、ＣＰＵ２０の制御に従って、表示情報をビデオ信号に変換し、変換したビデオ信号をＬＣＤ６Ａに出力する。
【００２７】
タッチセンサ６Ｂは、ＬＣＤ６Ａに対するユーザの指及びタッチペン等のタッチ位置を検出して、入力コントローラ２６に出力する。そして、タッチセンサ６Ｂは、ＬＣＤ６Ａの画面に表示される各種メニュー、アイコン、ボタン、及びキーボード等の画面オブジェクトを選択して入力操作を行ったり、テキストの入力操作や、スクロールやスワイプ等の画面操作がユーザの指やタッチペン等により行われる。
【００２８】
入力コントローラ２６は、プロセッサがＲＯＭ２１等に格納されたプログラムを実行することにより各種処理を行い、タッチセンサ６Ｂの動作を制御する。
【００２９】
バックライト６Ｃは、ＣＰＵ２０の制御に従って、照度（輝度）が制御される。
【００３０】
フラッシュメモリ２７は、ノートＰＣ１全体の制御を行うためのＯＳ、周辺機器類をハードウェア操作するための各種ドライバ、特定業務に向けられたアプリケーション、及び各種データやファイル等を格納する機能を有する。なお、ノートＰＣ１は、フラッシュメモリ２７に替わる記憶手段としてＨＤＤ（Hard  Disk  Drive）等、他の記憶手段を備えてもよい。
【００３１】
通信デバイス２８は、他のデバイスとの間との通信を行う。
【００３２】
電源回路２９は、ＡＣアダプタ、バッテリ、バッテリを充電するための充電器、及びＤＣ／ＤＣコンバータ等を備えており、ＣＰＵ２０の制御に従って、各デバイスに電力を供給する。
【００３３】
ここで、本実施形態に係るノートＰＣ１は、図１のハッチングされた領域で示されるように、本体側筐体２のディスプレイ側筐体３に対向する面に光触媒層７が設けられる。なお、光触媒層７は、光触媒を混入した塗料が本体側筐体２に塗布（ペイント）されることで形成されてもよいし、光触媒を含む層を塗料とは別に塗布（被覆）されることで形成されてもよい。
【００３４】
また、本実施形態では、光触媒層７は、キーボード４Ａ、タッチパッド４Ｂ及びパームレスト５、すなわち、本体側筐体２のディスプレイ側筐体３に対向する面全体に渡って設けられている。しかし、これに限らず、光触媒層７は、キーボード４Ａ、タッチパッド４Ｂ、又はパームレスト５のみ等、一部領域のみに設けられてもよい。
【００３５】
光触媒層７は、可視光に応答性を有する光触媒で形成される。この光触媒は、例えば、Ｃｕ／ＴｉＯ２である。
【００３６】
図３は、可視光に応答性を有するＣｕ／ＴｉＯ２と紫外線に応答性を有する光触媒（Ｆｅ／ＴｉＯ２）との滅菌効果の比較例を示すグラフである。図３は、光触媒に白色光を照射した場合の活性ウィルス濃度（個／ｍＬ）の時間変化を示している。なお、活性ウィルスとしては、Ｑβファージが用いられている。白色光は紫外線カットフィルターを有する白色蛍光灯から照射され、照度は８００ｌｘである。
【００３７】
図３に示されるように、Ｃｕ／ＴｉＯ２はＦｅ／ＴｉＯ２に比べて可視光である白色光に強い応答性を有しており、照度８００ｌｘでは約１２０分で９９．９％まで滅菌できる。すなわち、可視光に応答性を有する光触媒は、ＬＣＤ６Ａから発せられる光によって滅菌が可能である。このため、可視光に応答性を有する光触媒を用いることで、ノートＰＣ１は、光触媒層７を設ける以外の他の構成を必要としない。また、可視光に応答性を有する光触媒を用いることで、滅菌のために紫外線が用いられないので、紫外線によってユーザの眼が痛められることも防止される。
【００３８】
そして、本実施形態に係るノートＰＣ１は、本体側筐体２とディスプレイ側筐体３とを閉じた状態、すなわちノートＰＣ１を閉じた状態とした後、ＬＣＤ６Ａ（タッチパネルディスプレイ６）の発光を所定時間継続する滅菌処理を行う。より具体的には、ノートＰＣ１が閉じられると、バックライト６Ｃが所定時間（以下「滅菌時間」という。）継続して発光し続ける。このため、バックライト６Ｃから発せられる白色光が光触媒層７に照射（以下「滅菌照射」という。）される。この滅菌照射により、光触媒層７が設けられているキーボード４Ａ、タッチパッド４Ｂ、及びパームレスト５等が滅菌される。
【００３９】
図４は、本実施形態に係る滅菌処理に関する機能ブロック図である。
【００４０】
ＣＰＵ２０は、開閉状態判定部４０、滅菌照射設定部４１、及び発光制御部４２を備える。なお、ＣＰＵ２０が有する各機能は、プログラムによって実現される。
【００４１】
開閉状態判定部４０は、ノートＰＣ１の開閉状態を判定する。開閉状態の判定は、従来既知のものであればよい。例えば、ホール素子が本体側筐体２とディスプレイ側筐体３の何れか一方にホール素子が設けられ、他方にマグネットが設ける。このマグネットは、閉状態となった場合にホール素子に対向するように設けられる。すなわち、ホール素子がマグネットからの磁界を検出した場合、ノートＰＣ１が閉状態であり、ホール素子が磁界を検出しない場合、ノートＰＣ１は開状態と判定される。
【００４２】
滅菌照射設定部４１は、滅菌照射を実行する場合における各種設定を行う。具体的には、滅菌時間の設定、滅菌処理を行う際のバックライト６Ｃの照度（輝度）の設定、及び滅菌処理を行う回数やタイミング等のスケジュールの設定等である。
【００４３】
滅菌照射設定部４１は、例えば、滅菌照射の間、バックライト６Ｃを最大照度で発光させるように設定する。ここで、例えば、最大照度を７０００ｌｘとすると、９９．９％の滅菌を実現するための滅菌時間として約１４分が自動的に設定される。すなわち、滅菌照射設定部４１は、滅菌照射の間におけるバックライト６Ｃの照度（以下「滅菌照度」という。）に応じて、所定の滅菌度合い（例えば９９．９％）を実現するための滅菌時間を算出して設定する。なお、ウィルスの滅菌度合い（抗ウィルス力）は入力エネルギーである照度に比例する。このため、滅菌時間は、例えば、抗ウィルス力と照度との関係を示した関数に基づいて算出される。
【００４４】
なお、滅菌照度は、ユーザによって任意に設定可能とされてもよい。
【００４５】
また、滅菌照度は、ノートＰＣ１の状態に基づいて決定されてもよい。ノートＰＣ１の状態とは、例えば、バッテリの充電残量やノートＰＣ１の動作履歴等である。ノートＰＣ１の動作履歴とは、例えば、ノートＰＣ１の連続使用時間、すなわち、前回、滅菌照射を行った後にノートＰＣ１を使用した時間である。また、ノートＰＣ１の動作履歴は、例えば、ノートＰＣ１の使用環境であってもよい。使用環境とは、ノートＰＣ１を使用したときの温度や湿度等、又はノートＰＣ１を使用した場所等である。
【００４６】
バッテリの充電残量に応じて滅菌照度を決定する例は、以下のとおりである。
【００４７】
例えば、バッテリの充電残量が８０％以上から１００％の場合にはバックライト６Ｃは最大照度で発光され、バッテリの充電残量が５０％以上から８０％未満の場合にはバックライト６Ｃは最大照度の７０％で発光され、バッテリの充電残量が３０％以上から５０％未満の場合にはバックライト６Ｃは最大照度の４０％で発光され、バッテリの充電残量が３０％未満の場合にはバックライト６Ｃは発光されない。
【００４８】
ノートＰＣ１の動作履歴に応じて滅菌照度を決定する例は、以下のとおりである。
【００４９】
例えば、ノートＰＣ１の連続使用時間が予め定められた基準時間以上の場合、滅菌照度は最大照度とされる。一方、連続使用時間が基準時間未満の場合、連続使用時間と基準時間との差分に応じて滅菌照度は最大照度から小さくされる。
【００５０】
また、例えば、ノートＰＣ１を使用したときの温度や湿度（以下「環境値」という。）が、細菌やウィルス等が繁殖しやすいとされる値（以下「繁殖基準値」という。）以上の場合、滅菌照度は最大照度とされる。一方、ノートＰＣ１を使用したときの環境値が繁殖基準値未満の場合、環境値と繁殖基準値との差分に応じて滅菌照度は最大照度から小さくされる。なお、ノートＰＣ１の環境値は、例えば、インターネット等を介してノートＰＣ１が取得される。
【００５１】
さらに、例えば、ノートＰＣ１を使用した場所が細菌やウィルス等が繁殖しやすいとされる領域、又は細菌やウィルス等の繁殖をより抑制する必要がある領域等（以下「特定領域」）である場合、滅菌照度は最大照度とされる。一方、ノートＰＣ１を使用した場所が特定領域でない場合、滅菌照度は最大照度よりも小さくされる（例えば最大照度の８０％）。なお、特定領域は予めノートＰＣ１に設定されており、ノートＰＣ１を使用した場所は、例えば、ノートＰＣ１に内蔵されているＧＰＳ（Global  Positioning  System）等の衛星測位システムによって判定されたり、ユーザが予めノートＰＣ１の使用場所をノートＰＣ１に登録される。
【００５２】
また、滅菌時間は、上述のノートＰＣ１の状態に基づいて決定されてもよい。
【００５３】
バッテリの充電残量に応じて滅菌時間を決定する例は、以下のとおりである。
【００５４】
例えば、バッテリの充電残量が８０％以上から１００％の場合にはバックライト６Ｃは予め定められた最長時間で発光され、バッテリの充電残量が５０％以上から８０％未満の場合にはバックライト６Ｃは最長時間の７０％で発光され、バッテリの充電残量が３０％以上から５０％未満の場合にはバックライト６Ｃは最長時間の４０％で発光され、バッテリの充電残量が３０％未満の場合にはバックライト６Ｃは発光されない。
【００５５】
ノートＰＣ１の動作履歴に応じて滅菌時間を決定する例は、以下のとおりである。
【００５６】
例えば、ノートＰＣ１の連続使用時間が予め定められた基準時間以上の場合、滅菌時間は最長時間とされる。一方、連続使用時間が基準時間未満の場合、連続使用時間と基準時間との差分に応じて滅菌時間は最長時間から短くされる。
【００５７】
また、例えば、ノートＰＣ１を使用したときの環境値が繁殖基準値以上の場合、滅菌時間は最長時間とされる。一方、ノートＰＣ１を使用したときの環境値が繁殖基準値未満の場合、環境値と繁殖基準値との差分に応じて滅菌時間は最長時間から短くされる。
【００５８】
さらに、例えば、ノートＰＣ１を使用した場所が特定領域である場合、滅菌時間は最長時間とされる。一方、ノートＰＣ１を使用した場所が特定領域でない場合、滅菌時間は最長時間よりも短くされる（例えば最長時間の８０％）。
【００５９】
さらに、バックライト６Ｃを複数の領域に分割し、分割した領域毎に滅菌照度を異ならせてもよい。例えば、キーボード４Ａ、パームレスト５、タッチパッド４Ｂに対応する領域毎にバックライト６Ｃが分割される。そして、キーボード４Ａに比べて手との接触時間が長いパームレスト５に対応するバックライト６Ｃの領域の滅菌照度を相対的に高くする。また、タッチパッド４Ｂの使用頻度が低いユーザに対しては、タッチパッド４Ｂに対応するバックライト６Ｃの領域の滅菌照度を相対的に低くする。
【００６０】
図５は、ユーザが滅菌照射設定を行うための設定画像５０の一例である。設定画像５０は、例えば、一日に滅菌照射を行う回数や、滅菌照射を行うタイミング等の設定が可能とされている。さらに、滅菌照射が完了するまでの時間（滅菌時間）も表示される。
【００６１】
発光制御部４２は、ノートＰＣ１が閉じられた後、滅菌照射設定部４１による設定に応じて、発光を滅菌時間の間、継続するようにバックライト６Ｃを制御する。
【００６２】
図６は、ＣＰＵ２０で実行される滅菌処理の流れを示すフローチャートである。滅菌処理は、開閉状態判定部４０によって、ノートＰＣ１が閉じられたと判定された場合に開始される。
【００６３】
まず、ステップ１００では、滅菌照射の開始タイミングであるか否かが判定され、肯定判定の場合はステップ１０２へ移行する一方、否定判定の場合は滅菌照射を行うことなく終了する。なお、滅菌照射の開始タイミングであるか否かは、滅菌照射設定に基づいて判定される。例えば、一日に一回のみ滅菌処理を行うように設定されている場合であって、同日中に既に滅菌処理が実行されている場合、ステップ１００では否定判定となる。一方、ノートＰＣ１が閉じられる毎に滅菌処理を行うように設定されている場合、ステップ１００では常に肯定判定となる。
【００６４】
ステップ１０２では、滅菌照射設定に基づいた滅菌照度でバックライト６Ｃを発光させることで、滅菌照射を開始する。なお、キーボード４Ａにバックライトが設けられているノートＰＣ１では、滅菌照射のために、このバックライトも同時に発光させてもよい。
【００６５】
ステップ１０４では、滅菌照射の開始から滅菌時間が経過したか否かを判定し、肯定判定の場合はステップ１０６へ移行する一方、否定判定の場合はステップ１０８へ移行する。
【００６６】
ステップ１０６では、バックライト６Ｃの発光を停止することで滅菌照射を停止し、滅菌処理を終了する。
【００６７】
ステップ１０８では、ノートＰＣ１が開かれたか否かを判定し、肯定判定の場合はステップ１１０へ移行する一方、否定判定の場合はステップ１０４へ戻る。
【００６８】
ステップ１１０では、バックライト６Ｃの発光を停止することで滅菌照射を停止する。
【００６９】
次のステップ１１２では、滅菌処理が完了していないことをメッセージとしてタッチパネルディスプレイ６に表示し、滅菌処理を終了する。なお、このメッセージには、滅菌処理を行った時間や、未完了の滅菌処理による滅菌の程度等が同時に表示されてもよい。
【００７０】
なお、滅菌時間が経過する前にノートＰＣ１が開かれた場合、ノートＰＣ１は、滅菌処理を行った時間を記憶し、次回の滅菌処理において記憶した時間に基づいて滅菌時間を決定してもよい。例えば、滅菌処理の回数が１日１回に設定されている状態で、滅菌時間が経過する前にノートＰＣ１が開かれた場合、次回にノートＰＣ１が閉じられた際に、ノートＰＣ１は、残りの滅菌時間だけ滅菌処理を行ってもよい。
【００７１】
以上説明したように、本実施形態に係るノートＰＣ１は、キーボード４Ａが設けられた本体側筐体２とタッチパネルディスプレイ６が設けられたディスプレイ側筐体３とが開閉自在に連結される。そして、本体側筐体２はディスプレイ側筐体３に対向する面に光触媒層７が設けられ、本体側筐体２とディスプレイ側筐体３とが閉じられた後、発光を滅菌時間継続するようにタッチパネルディスプレイ６が制御される。
【００７２】
従って、ノートＰＣ１を閉じている最中にキーボード４Ａ等が滅菌されることとなるので、キーボード４Ａ、タッチパッド４Ｂ、及びパームレスト５等は、ユーザが意識することなく簡易に滅菌される。また、光触媒層７が可視光に応答性を有する光触媒で形成されるので、ノートＰＣ１を閉じなくてもノートＰＣ１の通常の使用環境における可視光によっても滅菌効果が得られ、ノートＰＣ１を閉じてバックライト６Ｃを発光させることで、短時間で非常に高い滅菌効果が得られる。
【００７３】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００７４】
例えば、上記実施形態では、ディスプレイとしてＬＣＤ６Ａを適用する形態について説明したが、本発明は、これに限定されるものではなく、ディスプレイとして有機ＥＬ（Organic  Eelectro-Luminescence）ディスプレイを適用する形態としてもよい。この形態の場合、ノートＰＣ１を閉じた際に実行される滅菌処理では、有機ＥＬディスプレイを白色光で発光させる。
【００７５】
また、上記実施形態では、滅菌処理に用いる可視光を白色光とする形態について説明したが、本発明は、これに限定されるものではなく、他の色の可視光を用いてもよい。
【００７６】
また、上記実施形態で説明した滅菌処理の流れも一例であり、本発明の主旨を逸脱しない範囲内において不要なステップを削除したり、新たなステップを追加したり、処理順序を入れ替えたりしてもよい。
【符号の説明】
【００７７】
１    ノートＰＣ（情報処理装置）
２    本体側筐体（第１筐体）
３    ディスプレイ側筐体（第２筐体）
６    タッチパネルディスプレイ（ディスプレイ）
７    光触媒層
４２  発光制御部（発光制御手段）
【図１】
2017211745.tif 000003
【図２】
2017211745.tif 000004
【図３】
2017211745.tif 000005
【図４】
2017211745.tif 000006
【図５】
2017211745.tif 000007
【図６】
2017211745.tif 000008